(57)【要約】【課題】  モニターの重心が左右に偏っている場合でも筐体上に設置したモニターが傾くことを防止し、下面を直接載置するモニターを筐体に載置する場合やモニターの幅がカラオケ装置の幅より小さい場合でも美観を損なわずに、スピーカが発生する振動のモニターへの伝達を低減することができるカラオケ装置を提供する。【解決手段】  音声信号入力部と、再生部と、映像信号出力部と、ミキサーと、スピーカと、箱形を成しスピーカを内部に備える筐体と、断面がコの字形を形成し凹部を備える複数の第１の部材と、弾性体から成り第１の部材の凹部に固着し平板を固着する第１の弾性部と、第１の部材と同形状の複数の第２の部材と、弾性体から成り第２の部材の凹部に固着し平板を固着する第２の弾性部と、上面に第１の部材と第２の部材をそれぞれ並んだ状態で嵌合する凹部を備える上面パネルとを備え、第１の弾性部は、第２の弾性部より硬度が低い。【選択図】  図２
2006094091.tif 000002
【特許請求の範囲】
【請求項１】
音声信号を入力する音声信号入力部と、光ディスクに記録された音楽信号及び映像信号を再生する再生部と、前記再生部が再生した映像信号を出力する映像信号出力部と、前記音声信号入力部が入力した音声信号と前記再生部が再生した音楽信号を合成して出力するミキサーと、前記ミキサーが合成した音声信号及び音楽信号を放音するスピーカと、箱形を成し前記スピーカを内部に備える筐体と、断面がコの字形を形成し凹部を備える複数の第１の部材と、弾性体から成り前記第１の部材の凹部に固着し表面に平板を固着する第１の弾性部と、前記第１の部材と同形状の断面がコの字形を形成し凹部を備える複数の第２の部材と、弾性体から成り前記第２の部材の凹部に固着し表面に平板を固着する第２の弾性部と、前記筐体の上面に固定され上面に前記第１の部材と前記第２の部材をそれぞれ並んだ状態で嵌合する凹部を備える上面パネルとを備え、
前記第１の弾性部は、前記第２の弾性部より硬度が低いことを特徴とするカラオケ装置。
【発明の詳細な説明】
【技術分野】
【０００１】
本発明は、上面に映像表示装置、例えば、モニター、テレビ等を載置するカラオケ装置に関する。
【背景技術】
【０００２】
従来のカラオケ装置として、ＣＤ（Compact Disc）やＤＶＤ（Digital Versatile Disc）等の光ディスクに記録された音楽信号と映像信号を再生し、当該音楽信号とマイクが集音した音声信号とをスピーカに出力すると共に当該映像信号をモニターに出力するカラオケ装置がある（例えば、特許文献１参照）。従来のカラオケ装置においては、カラオケ装置に音楽信号及び音声信号を楽音として出力するスピーカを内蔵し、歌詞等の映像信号を表示するモニターをカラオケ装置の上面に載置させるものがある（例えば、非特許文献１参照）。
【０００３】
図１０は、従来のカラオケ装置を示す斜視図である。
カラオケ装置１００は、音声信号入力部３、スピーカ６、操作部９、筐体２０、上面パネル２１０、図示しない再生部、ミキサー、オーディオ信号増幅部、映像信号出力部及び制御部を備える。筐体２０は、箱型を成し、内部に再生部、ミキサー、オーディオ信号増幅部、映像信号出力部及び制御部を備える。筐体２０の前面には、音声信号入力部３、スピーカ６及び操作部９が固定されている。上面パネル２１０は、上面が平滑な面であり、筐体２０の上部に固定される。
【０００４】
再生部は、光ディスクに記録された映像信号及び音楽信号を再生する。映像信号出力部は、再生部が再生した映像信号を図示しない導電ケーブルを介してモニター１１へ出力する。モニター１１は、下面の前方及び後方の左右端にそれぞれフット１１１を備え、上面パネル２１０の上面に載置される。モニター１１は、映像信号出力部７が出力した映像信号に基づいた映像を表示する。
【０００５】
音声信号入力部３は、導電ケーブルを介してマイク１０が集音した音声信号を入力する。ミキサーは、再生部が再生した音楽信号と音声信号入力部が入力した音声信号を合成し、合成したオーディオ信号をオーディオ信号増幅部へ出力する。オーディオ信号増幅部は、ミキサーから入力されたオーディオ信号を増幅し、スピーカ６へ出力する。スピーカ６は、オーディオ信号増幅部が増幅したオーディオ信号を楽音として出力する。操作部９は、再生部が再生する音楽信号の再生開始及び再生停止、ミキサーが合成する音楽信号と音声信号の割合及びオーディオ信号増幅部が増幅するオーディオ信号の増幅度等を指示する指示信号を出力する。制御部は、操作部９の指示信号に基づいて、再生部、ミキサー及びオーディオ信号増幅部を制御する。
【０００６】
以上の構成により、カラオケ装置１００の使用者は、カラオケの楽曲が記録され楽曲の背景映像及び歌詞等が記録された光ディスクを再生し、スピーカ６から楽曲を出力させると共に、歌詞をモニター１１へ表示させ、モニター１１に表示された歌詞を見ながらマイク１０へ発声することにより、カラオケを楽しむことができる。
【０００７】
【特許文献１】特開平５−２８９６８２号公報
【非特許文献１】“ニュースリリース”、[online]、[平成１６年３月１８日検索]、インターネット〈URL : http://denon.jp/company/release/cdv1800.html〉
【発明の開示】
【発明が解決しようとする課題】
【０００８】
図１１は、モニター１１を上面に載置したカラオケ装置１００を示す正面図である。
従来のカラオケ装置１００は、スピーカ６を筐体２０の前面に固定しているため、スピーカ６が楽音を出力する際に発生する振動が筐体２０に伝達し、筐体２０に伝達された振動は、フット１１１を介してモニター１１にも伝達する。このため、オーディオ信号増幅部５の増幅度を大きくしてスピーカ６から出力する楽音の信号レベルの増大に伴って、スピーカ６が発生する振動が増大し、モニター１１へ伝達される振動も増大する。モニター１１は、外部から大きな振動が加わると表示画面が乱れてしまうことがある。このため、従来のカラオケ装置１００の使用者は、モニター１１の画面の乱れを防止するためにスピーカ６から出力させる楽音の信号レベルを一定値以下に抑制してカラオケを行わなければならず、スピーカ６から出力する楽音を増大して迫力のあるカラオケを行うことができなかった。
【０００９】
スピーカ６から発生した振動がモニター１１へ伝達するのを防止するために、例えば、上面パネル２１０の上面にゴム材等の弾性体から成るシートを敷くことによって、スピーカ６が発生する振動をシートに吸収させ、モニター１１へ伝達する振動を低減することができる。
【００１０】
しかしながら、従来のモニターの中には、重心が中央でなく、右方向または左方向に偏っているのもがある。モニターの重心が右方向または左方向へ偏っている場合、前述したような弾性体から成るシートを上面パネル２１０とフット１１１の間に介在させると、モニターの重心部分に位置するシートが他のシートの部分より大きく弾性変形し、重心が偏っている側へモニター１１が傾いてしまうことがある。上面パネル２１０に載置されたモニター１１が傾くと、美観を損なうばかりでなく、カラオケを楽しむ使用者に違和感を与えてしまう。
【００１１】
また、従来のモニターは、それぞれの機器によって左右の幅が異なっている。このため、例えば、左右の幅が上面パネル２１０より小さいモニターを上面パネル２１０の中央に載置すると、上面パネル２１０の上面の右部分及び左部分が露出する。このため、前述したような、弾性体から成るシートを上面パネル２１０の上面に敷いた状態で小さいモニターを上面パネル２１０の中央に載置すると、モニターの左右からシートが露出してしまい、カラオケ装置１００の美観が損なわれてしまう。
【００１２】
また、従来のモニターには、美観を優先することにより下面にフットを備えず、モニターの下面を直接床などに載置するものがある。このような下面にフットを備えないモニターを従来のカラオケ装置１００の上面に載置すると、スピーカ６が発生する振動が直接モニターの筐体に伝達してしまい、モニターの画面に乱れが生じるのみでなく、モニター内部の電子回路を破壊してしまう虞がある。
【００１３】
本発明は、上面に映像表示装置を載置するカラオケ装置において、モニターの重心が左右に偏っている場合でも筐体上に設置したモニターが傾くことを防止し、モニターの幅がカラオケ装置の幅より小さい場合でも美観を損なうことなしに、スピーカが発生する振動のモニターへの伝達を低減することができるカラオケ装置を提供することを目的とする。
【００１４】
また、本発明は、下面が平らなモニターを筐体に載置する場合でも、スピーカが発生する振動のモニターへの伝達を低減することができるカラオケ装置を提供することを目的とする。
【課題を解決するための手段】
【００１５】
本願の請求項１記載の発明は、カラオケ装置において、音声信号を入力する音声信号入力部と、光ディスクに記録された音楽信号及び映像信号を再生する再生部と、前記再生部が再生した映像信号を出力する映像信号出力部と、前記音声信号入力部が入力した音声信号と前記再生部が再生した音楽信号を合成して出力するミキサーと、前記ミキサーが合成した音声信号及び音楽信号を放音するスピーカと、箱形を成し前記スピーカを内部に備える筐体と、断面がコの字形を形成し凹部を備える複数の第１の部材と、弾性体から成り前記第１の部材の凹部に固着し表面に平板を固着する第１の弾性部と、前記第１の部材と同形状の断面がコの字形を形成し凹部を備える複数の第２の部材と、弾性体から成り前記第２の部材の凹部に固着し表面に平板を固着する第２の弾性部と、前記筐体の上面に固定され上面に前記第１の部材と前記第２の部材をそれぞれ並んだ状態で嵌合する凹部を備える上面パネルとを備え、前記第１の弾性部は、前記第２の弾性部より硬度が低いことを特徴とする。
【発明の効果】
【００１６】
本発明のカラオケ装置によれば、上面に映像表示装置を載置するカラオケ装置において、モニターの重心が左右に偏っている場合でも筐体上に設置したモニターが傾くことを防止し、モニターの幅がカラオケ装置の幅より小さい場合でも美観を損なうことなしに、スピーカが発生する振動のモニターへの伝達を低減することができるカラオケ装置を提供することができる。
【００１７】
また、本発明のカラオケ装置によれば、下面が平らなモニターを筐体に載置する場合でも、スピーカが発生する振動のモニターへの伝達を低減することができるカラオケ装置を提供することができる。
【発明を実施するための最良の形態】
【００１８】
以下、本発明の実施の形態を図面に基づいて説明する。
図１は、本発明のカラオケ装置の一実施例を示すブロック図である。
カラオケ装置１は、再生部２、音声信号入力部３、ミキサー４、オーディオ信号増幅部５、スピーカ６、映像信号出力部７、制御部８及び操作部９を備える。
【００１９】
再生部２は、光ディスクに記録された映像信号及び音楽信号を再生し、映像信号出力部７及びミキサー４に出力する。映像信号出力部７は、再生部２が再生した映像信号を入力し、モニター１１へ出力する。モニター１１は、映像信号出力部７が出力した映像信号に基づいた映像を表示する。
【００２０】
音声信号入力部３は、マイク１０が接続され、マイク１０が集音した音声信号を入力し、ミキサー４に出力する。ミキサー４は、再生部２から入力された音楽信号と音声信号入力部３から入力された音声信号を合成し、合成したオーディオ信号をオーディオ信号増幅部５へ出力する。オーディオ信号増幅部５は、ミキサー４から入力されたオーディオ信号を増幅し、スピーカ６へ出力する。スピーカ６は、オーディオ信号増幅部５から入力されたオーディオ信号を楽音として出力する。操作部９は、再生部２が再生する音楽信号の再生開始及び再生停止、ミキサー４が合成する音楽信号と音声信号の割合及びオーディオ信号増幅部５が増幅するオーディオ信号の増幅度等を指示する指示信号を出力する。制御部８は、操作部９の指示信号に基づいて、再生部２、ミキサー４及びオーディオ信号増幅部５を制御する。
【００２１】
図２は、本発明の一実施例であるカラオケ装置を示す斜視図である。
カラオケ装置１は、筐体２０、上面パネル２１、２つの第１の部材２５ａ、２５ｂ及び２つの第２の部材２６ａ、２６ｂを備える。筐体２０は、箱型を成し、内部に再生部２、ミキサー４、オーディオ信号増幅部５、映像信号出力部７及び制御部８を備える。筐体２０の前面には、音声信号入力部３、スピーカ６及び操作部９が固定されている。上面パネル２１は、筐体２０の上部に固定される。
【００２２】
上面パネル２１は、上方へ開口する凹部２１１を備える。図２に示すように、第１の部材２５ａ、２５ｂ及び第２の部材２６ａ、２６ｂは、それぞれ同形状の直方体を成す。第１の部材２５ａ、第１の部材２５ｂ、第２の部材２６ａ及び第２の部材２６ｂは、それぞれが並んだ状態で凹部２１１に嵌合する。第１の部材２５ａ、２５ｂ及び第２の部材２６ａ、２６ｂは、それぞれ表面と裏面とを裏返しにした状態でも凹部２１１に嵌合し、また、それぞれの並び順を変更しても凹部２１１に嵌合する。
【００２３】
図３は、本発明の一実施例であるカラオケ装置の第１の部材を示す図で、図３（ａ）は上面図、図３（ｂ）は断面図である。
第１の部材２５ａ、２５ｂは、コの字形を形成し凹部２５１を備える。また、第１の部材２５ａ、２５ｂは、凹部２５１の内部に弾性部２５２及び平板部２５４を備える。弾性部２５２は、合成樹脂材、ゴム材等の弾性体から成り、接着剤によって凹部２５１の内壁に固着される。弾性部２５２は、表面に凹部２５３を備える。平板部２５４は、薄い平板から成り、接着剤により弾性部２５２の凹部２５３の内壁に固着される。
【００２４】
図４は、本発明の一実施例であるカラオケ装置の第２の部材を示す図で、図４（ａ）は上面図、図４（ｂ）は断面図である。
第２の部材２６ａ、２６ｂは、図３に示す第１の部材２５ａ、２５ｂと同形状のコの字形を形成し凹部２６１を備える。また、第２の部材２６ａまたは２６ｂは、凹部２６１の内部に弾性部２６２及び平板部２６４を備える。弾性部２６２は、合成樹脂材、ゴム材等の弾性体から成り、接着剤によって凹部２６１の内壁に固着される。弾性部２６２は、表面に凹部２６３を備える。平板部２６４は、薄い平板から成り、接着剤により弾性部２６２の凹部２６３の内壁に固着される。
弾性部２５２の硬度は、弾性部２６２の硬度より低く、第１の部材２５ａ、２５ｂの平板部２５４と第２の部材２６ａ、２６ｂの平板部２６４をそれぞれ同じ力で押圧した場合、弾性部２５２の方が弾性部２６２より大きく弾性変形する。
【００２５】
図５は、本発明の一実施例であるカラオケ装置の上面パネルへ重心が略中央にあるモニターを載置した状態を示す正面図である。モニター１１ａは、下面の前方及び後方の左側及び右側にそれぞれ４つのフット１１１を備える。
モニター１１ａの左側のフット１１１ａから右側のフット１１１ｂまでの幅が、上面パネル２１の凹部２１１の左端に嵌合した部材の中央から凹部２１１の右端に嵌合した部材の中央までの幅と略同一である場合、図５に示すように、凹部２１１の左端及び右端に第１の部材２５ａ及び第１の部材２５ｂを配設した状態となるようそれぞれの第１の部材２５ａ、２５ｂ及び第２の部材２６ａ、２６ｂを凹部２１１へ嵌合させる。このとき、第１の部材２５ａ及び第１の部材２５ｂは、それぞれの平板部２５４が上面となるように配設する。このことによって、モニター１１ａを上面パネル２１の中央へ載置する場合、左側のフット１１１ａは第１の部材２５ａの平板部２５４ａ上に載置され、右側のフット１１１ｂは、第１の部材２５ｂの平板部２５４ｂ上に載置される。
【００２６】
図５に示す状態で、スピーカ６から楽音を出力させると、スピーカ６は、楽音の出力に伴って振動を発生し、この振動が筐体２０に伝達する。筐体２０に伝達された振動は、上面パネル２１を介して第１の部材２５ａ及び第１の部材２５ｂに伝達する。このとき、第１の部材２５ａの弾性部２５２ａ及び第１の部材２５ｂの弾性部２５２ｂは、スピーカ６から発生した振動を吸収する。このことによって、スピーカ６から発生した振動のモニター１１ａへの伝達量を低減することができる。
【００２７】
図６は、本発明の一実施例であるカラオケ装置の上面パネルへ重心が右へ偏っているモニターを載置した状態を示す正面図である。
モニター１１ｂの左側のフット１１１ａから右側のフット１１１ｂまでの幅が、上面パネル２１の凹部２１１の左端に嵌合した部材の中央から凹部２１１の右端に嵌合した部材の中央までの幅と略同一であり、モニター１１ｂの重心が右へ偏っている場合は、図６に示すように、凹部２１１の左端に第１の部材２５ａを配設し、凹部２１１の右端に第２の部材２６ｂを配設した状態となるようそれぞれの第１の部材２５ａ、２５ｂ及び第２の部材２６ａ、２６ｂを凹部２１１へ嵌合させる。このとき、凹部２１１の左端に配設した第１の部材２５ａは、平板部２５４ａが上面となるようにし、凹部２１１の右端に配設した第２の部材２６ｂは、平板部２６４ｂが上面となるようにする。このことによって、モニター１１ｂを上面パネル２１へ載置する場合、左側のフット１１１ａは平板部２５４a上に載置され、右側のフット１１１ｂは、平板部２６４ｂ上に載置される。
【００２８】
このとき、モニター１１ｂの重心が右に偏っていることにより、右側のフット１１１ｂを載置した第２の部材２６ｂの平板部２６４ｂは、左側のフット１１１ａを載置した第１の部材２５ａの平板部２５４ａよりも大きな加重で下方へ押圧される。弾性部２６２は、弾性部２５２より硬質な弾性体から成ることにより、押圧加重に対する弾性変形の大きさが弾性部２５２の弾性変形の大きさより小さい。このことにより、左側のフット１１１ａを載置した第１の部材２５ａの弾性部２５２ａの弾性変形の大きさと左側のフット１１１ａより大きな加重で押圧された右側のフット１１１ｂを載置した第２の部材２６ｂの弾性部２６２ｂの弾性変形の大きさが異なることを防止する。よって、スピーカ６から発生した振動を弾性部２５２ａ及び弾性部２６２ｂが吸収し、スピーカ６から発生した振動がモニター１１ｂへ伝達する量を低減すると共に、重心が右側へ偏っているモニター１１ｂが右側へ傾いた状態で上面パネル２１に載置されてしまうことを防止することができる。
【００２９】
図７は、本発明の一実施例であるカラオケ装置１の上面パネル２１へ図５及び図６に示すモニターの幅より小さな幅のモニター１１ｃを載置した状態を示す正面図である。モニター１１ｃの重心は、略中央にあるとする。
図７に示すように、左側のフット１１１ｃから右側のフット１１１ｄまでの幅が凹部２１１に嵌合したそれぞれの部材の内、左から２番目に嵌合した部材の中央から凹部２１１の左から３番目に嵌合した部材の中央までの幅と略同一の場合は、図７に示すように、凹部２１１に嵌合したそれぞれの第１の部材２５ａ、２５ｂ及び第２の部材２６ａ、２６ｂの内、左から２番目に嵌合させる部材を第１の部材２５ａとし、左から３番目に嵌合させる部材を第１の部材２５ｂとする。このとき、第２の部材２６ａ及び第２の部材２６ｂは、それぞれの平板部２５４が下面となるように凹部２１１の右端及び左端へ嵌合させる。このことによって、モニター１１ｃを上面パネル２１の略中央へ載置する場合、左側のフット１１１ｃは第１の部材２５ａの平板部２５４ａ上に載置され、右側のフット１１１ｄは、第１の部材２５ｂの平板部２５４ｂ上に載置される。
【００３０】
このとき、第２の部材２６ａ及び第２の部材２６ｂは、それぞれの平板部２６４が下面となった状態で凹部２１１の右端及び左端に嵌合されていることから、平板部２５４及び弾性部２５２が露出することを防止することができる。
【００３１】
図８は、本発明の一実施例であるカラオケ装置の上面パネルへ重心が略中央であって下面が平らなモニターを載置した状態を示す正面図である。モニター１１ｄは、下面が平面であって、床などへ筐体の下面を直接載置するモニターである。
図８に示すように、下面が平らなモニター１１ｄを上面パネル２１に載置する場合は、凹部２１１に嵌合したそれぞれの第１の部材２５ａ、２５ｂ及び第２の部材２６ａ、２６ｂの内、凹部２１１の左端及び右端に第１の部材２５ａ及び第１の部材２５ｂを配設し、凹部２１１の左から２番目及び３番目に第２の部材２６ａ及び第２の部材２６ｂを配設した状態となるようそれぞれの第１の部材２５ａ、２５ｂ及び第２の部材２６ａ、２６ｂを凹部２１１へ嵌合させる。このとき、第１の部材２５ａ、第１の部材２５ｂ、第２の部材２６ａ及び２６ｂは、それぞれの平板部２５４が上面となるように配設する。このことによって、モニター１１ｄを上面パネル２１の中央へ載置する場合、モニター１１ｄの下面の右端部分及び左端部分は、第１の部材２５ａ及び第１の部材２５ｂの平板部２５４上に載置され、モニター１１ｄの下面の中央部分は、第２の部材２６ａ及び第２の部材２６ｂの平板部２５４上に載置される。
【００３２】
図８に示す状態で、スピーカ６から楽音を出力させると、スピーカ６は、楽音の出力に伴って振動を発生し、この振動が筐体２０に伝達する。筐体２０に伝達された振動は、上面パネル２１を介して第１の部材２５ａ、第１の部材２５ｂ、第２の部材２６ａ及び第２の部材２６ｂに伝達する。このとき、第１の部材２５ａ、第１の部材２５ｂ、第２の部材２６ａ及び第２の部材２６ｂのそれぞれの弾性部２５２は、スピーカ６から発生した振動を吸収する。このことによって、スピーカ６から発生した振動のモニター１１ｄへの伝達量を低減することができる。
【００３３】
図９は、本発明の一実施例であるカラオケ装置の上面パネルへ下面が平らであって重心が右へ偏っているモニターを載置した状態を示す正面図である。
図９に示すように、下面が平らであって重心が右へ偏っているモニター１１ｅを載置する場合は、凹部２１１に嵌合したそれぞれの第１の部材２５ａ、２５ｂ及び第２の部材２６ａ、２６ｂの内、凹部２１１の左端と凹部２１１の左端から２番目に嵌合させる部材を第１の部材２５ａ及び第１の部材２５ｂとし、凹部２１１の右端と凹部２１１の右端から２番目に嵌合させる部材を第２の部材２６ａ及び第２の部材２６ｂとする。このとき、第１の部材２５ａ、第１の部材２５ｂ、第２の部材２６ａ及び２６ｂは、それぞれの平板部２５４が上面となるように配設する。このことによって、モニター１１ｅを上面パネル２１の中央へ載置する場合、モニター１１ｅの下面の中央から右側部分は、第２の部材２６ａ及び第２の部材２６ｂの平板部２５４上に載置され、モニター１１ｅの下面の中央から左側部分は、第１の部材２５ａ及び第１の部材２５ｂの平板部２５４上に載置される。
【００３４】
このとき、モニター１１ｅの重心が右に偏っていることにより、モニター１１ｅの下面の中央から右側部分を載置した第２の部材２６ａ及び第２の部材２６ｂの平板部２５４は、
モニター１１ｅの下面の中央から左側部分を載置した第１部材２５ａ及び第１の部材２５ｂの平板部２５４よりも大きな加重で下方へ押圧される。弾性部２６２は、弾性部２５２より硬質な弾性体から成ることにより、押圧加重に対する弾性変形の大きさが弾性部２５２の弾性変形の大きさより小さい。このことにより、モニター１１ｅの下面の中央から左側部分を載置した第１部材２５ａ及び第１の部材２５ｂの弾性部２５２の弾性変形の大きさとモニター１１ｅの下面の中央から左側部分より大きな加重で押圧されたモニター１１ｅの下面の中央から右側部分を載置した第２の部材２６ａ及び第２の部材２６ｂの弾性部２６２の弾性変形の大きさが異なることを防止する。よって、スピーカ６から発生した振動を弾性部２５２及び弾性部２６２が吸収し、スピーカ６から発生した振動がモニター１１ｅへ伝達する量を低減すると共に、重心が右側へ偏っているモニター１１ｅが右側へ傾いた状態で上面パネル２１に載置されてしまうことを防止することができる。
【００３５】
以上の構成により、本実施例のカラオケ装置１は、スピーカ６が発生した振動がモニター１１へ伝達することを低減することができる。また、上面に載置するモニターの重心及び幅に応じて、凹部２１１に嵌合させる第１の部材２５ａ、２５ｂ及び第２の部材２６ａ、２６ｂの組み合わせ順序及び上面と下面の向きを変更することによって、モニター１１の重心が左右に偏っていてもモニター１１が傾くことを防止することができる。また、モニター１１の幅が上面パネル２１より小さい場合でも平板部２５４及び弾性部２５２が露出し、カラオケ装置１の美観が損なわれることを防止することができる。
【００３６】
また、本実施例のカラオケ装置１は、下面が平らなモニターを載置する場合でも、スピーカ６が発生する振動が直接モニターの筐体に伝達してしまい、モニター内部の電子回路を破壊してしまうことを防止することができる。
【００３７】
本実施例のカラオケ装置１は、凹部２１１に嵌合させる部材を第１の部材２５ａ、第１の部材２５ｂ、第２の部材２６ａ及び第２の部材２６ｂの４つの部材とし、硬さの異なる弾性部２５２及び弾性部２６２の２種類の弾性部を用いる構成としたが、凹部２１１に嵌合させる部材を６つ以上の部材とし、硬さの異なる３種類以上の弾性部を用いる構成としても良い。これにより、上面パネルに載置するモニターの右側のフットから左側のフットまでの幅が異なる３種類以上のモニターに対して、モニターの重心が左右に偏っていてもモニターが傾いて載置されることを防止し、モニターの幅が上面パネルより小さい場合でもカラオケ装置の美観が損なわれることを防止することができる。
【図面の簡単な説明】
【００３８】
【図１】本発明のカラオケ装置の一実施例を示すブロック図。
【図２】本発明の一実施例であるカラオケ装置を示す斜視図。
【図３】本発明の一実施例であるカラオケ装置の第１の部材を示す図で、図３（ａ）は上面図、図３（ｂ）は断面図。
【図４】本発明の一実施例であるカラオケ装置の第２の部材を示す図で、図４（ａ）は上面図、図４（ｂ）は断面図。
【図５】本発明の一実施例であるカラオケ装置の上面パネルへ重心が略中央にあるモニターを載置した状態を示す正面図。
【図６】本発明の一実施例であるカラオケ装置の上面パネルへ重心が右へ偏っているモニターを載置した状態を示す正面図。
【図７】本発明の一実施例であるカラオケ装置１の上面パネル２１へ図５及び図６に示すモニターの幅より小さな幅のモニター１１ｃを載置した状態を示す正面図。
【図８】本発明の一実施例であるカラオケ装置の上面パネルへ重心が略中央であって下面が平らなモニターを載置した状態を示す正面図。
【図９】本発明の一実施例であるカラオケ装置の上面パネルへ下面が平らであって重心が右へ偏っているモニターを載置した状態を示す正面図。
【図１０】従来のカラオケ装置を示す斜視図。
【図１１】モニター１１を上面に載置したカラオケ装置１００を示す正面図。
【符号の説明】
【００３９】
１  カラオケ装置、２  再生部、３  音声信号入力部、４  ミキサー、
５  オーディオ信号増幅部、６  スピーカ、７  映像信号出力部、８  制御部、
９  操作部、１０  マイク、１１  モニター、１１１  フット、２０  筐体、
２１  上面パネル、２１１  凹部、
２５  第１の部材、２５１  凹部、２５２  弾性部、２５４  平板部、
２６  第２の部材、２６１  凹部、２６２  弾性部、２６４  平板部、
１００  カラオケ装置、２１０  上面パネル
【図１】
2006094091.tif 000003
【図２】
2006094091.tif 000004
【図３】
2006094091.tif 000005
【図４】
2006094091.tif 000006
【図５】
2006094091.tif 000007
【図６】
2006094091.tif 000008
【図７】
2006094091.tif 000009
【図８】
2006094091.tif 000010
【図９】
2006094091.tif 000011
【図１０】
2006094091.tif 000012
【図１１】
2006094091.tif 000013